(57)【要約】      （修正有）【課題】ボーリング孔の内壁に凸部分等がある場合でもスムーズにボーリング孔内に挿入可能な地盤改良剤注入用スリーブパイプを提供する。【解決手段】パイプ本体２とパイプ本体２の長手方向に沿って等間隔に形成された噴射部３を具備し、噴射部３は、パイプ本体２にパイプ本体２の周方向に沿って間隔を置いて形成された複数の噴射孔４と、噴射孔４を閉鎖する配置でパイプ本体２に周設された、スリット５０１が形成された逆止弁５と、逆止弁５におけるパイプ本体２の長手方向に向いた両端部分の外周に周設された圧着リング６を備える。圧着リング６は、逆止弁５の両端部分外周に当接した圧着部６０１と、基端部が圧着部６０２に連設されるとともに湾曲しながら逆止弁５の幅方向の外側に延出して先端部がパイプ本体２に当接して逆止弁５のエッジ部分をカバーするカバー部６０２を具備した。【選択図】図３
0003160384.tif 000002
【実用新案登録請求の範囲】
【請求項１】
筒状のパイプ本体（２）と、
該パイプ本体（２）の長手方向に沿って等間隔に形成された噴射部（３）と、を具備し、
前記噴射部（３）は、
前記パイプ本体（２）に、パイプ本体（２）の周方向に沿って間隔を置いて形成された複数の噴射孔（４）と、
該噴射孔（４）を閉鎖する配置で前記パイプ本体（２）の外周に周設された、噴射用スリット（５０１）が形成された逆止弁（５）と、
該逆止弁（５）における前記パイプ本体（２）の長手方向に向いた両端部分の外周に周設された圧着リング（６）と、を備えた地盤改良剤注入用スリーブパイプ（１）であって、
前記圧着リング（６）は、
前記逆止弁（５）の両端部分外周に当接した圧着部（６０１）と、
基端部が前記圧着部（６０２）に連設されるとともに、パイプ本体（２）側に湾曲しながら前記逆止弁（５）の幅方向の外側に延出して先端部が前記パイプ本体（２）に当接して逆止弁（５）のエッジ部分をカバーするカバー部（６０２）と、を具備したことを特徴とする地盤改良剤注入用スリーブパイプ。
【請求項２】
前記逆止弁（５）をゴム製としたことを特徴とする請求項１に記載の地盤改良剤注入用スリーブパイプ。
【考案の詳細な説明】
【技術分野】
【０００１】
本考案は、地中に形成されたボーリング孔を介して軟弱地盤等にセメントミルク等の地盤改良剤を注入するために用いられるスリーブパイプに係り、より詳しくは、ボーリング孔の内壁に凸部分がある場合でも、スムーズにボーリング孔内に挿入可能とした、地盤改良剤注入用スリーブパイプに関する。
【背景技術】
【０００２】
従来から、ダム建設や巨大構造物の建築の際には、地盤を強固にするため、薬液注入装置を用いてボーリング孔にセメントミルク等の薬液を注入することが行われているが、特に軟弱地盤等の場合には、スリーブ注入工法とよばれる方法が採用されている。
【０００３】
図４は、この方法により地盤改良を行う場合を説明するための図であり、スリーブ注入工法により地盤改良を行う場合にはまず、図４（ａ）に示すように、ケーシング堀り等のボーリングによって地中３１にボーリング孔３２を形成し、その後に、このボーリング孔３２内にフレキシブルホース３３等を挿入し、このフレキシブルホース３３を介して、前記形成したボーリング孔３２内に、セメントを混合したシールグラウド３４を充填する。
【０００４】
そしてその後に、図４（ｂ）に示すように、シールグラウド３４を充填したボーリング孔３２内に、長手方向に沿った一定間隔ごとに噴射部を有するスリーブパイプ４１を挿入し、その後に、ケーシング３５を引き抜き、前記シールグラウド３４が一定の強度になるまで養生する。
【０００５】
そして、シールグラウド３４が一定の強度になった後に、スリーブパイプ４１内に、スリーブパイプ４１内の特定空間をシールして閉塞空間を形成し、この閉塞空間内に薬液を注入するためのパッカーといわれる薬液注入装置（図示せず）を挿入して、この薬液注入装置を用いて、前記噴射部を介して地中に薬液を注入することにより地盤改良を行う。
【０００６】
ここで、図５は従来から用いられているスリーブパイプ４１を説明するための図であり、図において、従来から用いられているスリーブパイプ４１は、所定長とした筒状のパイプ本体４２を有しており、使用に際してはこのパイプ本体４２を、ジョイント等で連結して必要な長さにして用いる。
【０００７】
そして、パイプ本体４２には、長手方向に沿って等間隔をおいて噴射部４３が形成されており、この噴射部４３より、ボーリング孔３２内に地盤改良剤等を注入していく。
【０００８】
ここで、図６は、前記噴射部４３の近傍の構造を示した断面図であり、図において、噴射部４３は、噴射孔と、この噴射孔を閉鎖した逆止弁とを具備して構成されている。
【０００９】
即ち、図において４４が噴射孔であり、この噴射孔４４は、パイプ本体４２の周方向に沿って、約９０度の角度を置いてパイプ本体４２に形成されており、従って、合計４個が形成されている。
【００１０】
そして、図において、前記噴射孔４４は、互いに隣り合う配置で、パイプ本体４２の周方向に沿って、２列に亘って形成されているとともに、それぞれの列の噴射孔がパイプ本体４２の長手方向に見た際に同一線上に配置されないように、位相をずらして形成している。
【００１１】
次に、この噴射孔４４を閉鎖する配置で、前記パイプ本体４２の外周には、ゴム製の筒状のカバー４５が周設されており、このカバー４５が逆止弁とされている。
【００１２】
即ち、前記逆止弁４５には、幅方向（パイプ本体４２の長手方向）に見た中央部分に、円周方向に沿ってスリット４６が形成されており、通常スリット４６は閉じられているが、前記噴射孔４４から地盤改良剤等が噴出してくると、この地盤改良剤等によってスリット４６が押し広げられ、地盤改良剤等はスリーブパイプ４１の外側に出て行きながら、ボーリング孔３２内に注入されていく。
【００１３】
次に、図において４７は圧着リングである。即ち、従来のスリーブパイプ４１では、前記逆止弁４５において、パイプ本体４２の長手方向に見た両端部分に圧着リング４７が周設されており、この圧着リング４７によって、逆止弁４５はパイプ本体４２の外周に固定されている。
【００１４】
そして、このような構成の従来のスリーブパイプは、前述したように、シールグラウド３４を充填したボーリング孔３２内に挿入され、その内部に薬液注入装置が挿入され、この薬液注入装置を介してスリーブパイプ内部に充填された地盤改良剤等は、前述のように、スリット４６を押し広げながらスリーブパイプ４１の外側に出て行きながらボーリング孔３２内に注入されていく。
【先行技術文献】
【特許文献】
【００１５】
【特許文献１】特開平１０−３３１１４４号公報
【特許文献２】特開平１０−３３１１４５号公報
【特許文献３】特開平１１−１０７２６６号公報
【特許文献４】特開２００４−０５２２５４号公報
【考案の概要】
【考案が解決しようとする課題】
【００１６】
ところで、前述したように、軟弱地盤等の地盤改良を行う場合等にはまず、ケーシング堀り等によって地中にボーリング孔を形成するが、このとき、ボーリング孔の内壁は必ずしも平らであるとは限らず、何らかの凸部分が存在する場合が考えられる。
【００１７】
一方、従来のスリーブパイプ４１では、噴射孔を閉鎖する配置で逆止弁が、パイプ本体の外周に周設されているため、この噴射部の部分はパイプ本体の外径よりも外周側に突出しているとともに、そのエッジ部分は角状となっているため、噴射部は、逆止弁４５の厚さ分だけ、段差状にパイプ本体の外周から突出している。
【００１８】
そのために、従来のスリーブパイプでは、これをボーリング孔の中に挿入していく過程において、噴射部のエッジ部分がボーリング孔の内壁等に引っ掛かってしまい、スムーズにスリーブパイプを挿入することができず、場合によってはスリーブパイプの逆止弁等が損傷してしまうおそれも考えられる。
【００１９】
そこで、本考案は、ボーリング孔の内壁に凸部分等がある場合でもスムーズにボーリング孔内に挿入可能な地盤改良剤注入用スリーブパイプを提供することを課題としている。
【課題を解決するための手段】
【００２０】
本考案の地盤改良剤注入用スリーブパイプは、
筒状のパイプ本体と、
該パイプ本体の長手方向に沿って等間隔に形成された噴射部と、を具備し、
前記噴射部は、
前記パイプ本体に、パイプ本体の周方向に沿って間隔を置いて形成された複数の噴射孔と、
該噴射孔を閉鎖する配置で前記パイプ本体の外周に周設された、噴射用スリットが周方向に沿って形成された逆止弁と、
該逆止弁における前記パイプ本体の長手方向に向いた両端部分の外周に周設された圧着リングと、を備えた地盤改良剤注入用スリーブパイプであって、
前記圧着リングは、
前記逆止弁の両端部分外周に当接した圧着部と、
基端部が前記圧着部に連設されるとともに、パイプ本体側に湾曲しながら前記逆止弁の幅方向の外側に延出して先端部が前記パイプ本体に当接して逆止弁のエッジ部分をカバーするカバー部と、を具備したことを特徴としている。
【考案の効果】
【００２１】
本考案の地盤改良剤注入用スリーブパイプでは、逆止弁をパイプ本体に固定するための圧着リングを、圧着部とカバー部とで構成しており、圧着部は逆止弁両端部分外周に当接しており、一方、カバー部は、基端部が圧着部に連設されるとともに、パイプ本体側に湾曲しながら逆止弁の幅方向の外側に延出して、先端部がパイプ本体に当接して逆止弁のエッジ部分をカバーしており、即ち、逆止弁のエッジ部分を湾曲状にカバーしている。
【００２２】
このように、本考案の地盤改良剤注入用スリーブパイプでは、湾曲させたカバー部によって逆止弁のエッジ部分をカバーしているために、噴射部が段差状にパイプ本体の外周から突出している従来のスリーブパイプと異なり、ボーリング孔の内壁に凸部分等がある場合でもスムーズにボーリング孔内に挿入することが可能である。
【図面の簡単な説明】
【００２３】
【図１】本考案の地盤改良剤注入用スリーブパイプの実施例の平面図である。
【図２】本考案の地盤改良剤注入用スリーブパイプの実施例における噴射部の近傍の平面図である。
【図３】本考案の地盤改良剤注入用スリーブパイプの実施例における噴射部の近傍の構造を示す断面図である。
【図４】一般的なスリーブ注入工法を説明するための図である。
【図５】従来のスリーブパイプを説明するための図である。
【図６】従来のスリーブパイプを説明するための図である。
【考案を実施するための形態】
【００２４】
本考案の地盤改良剤注入用スリーブパイプでは、筒状のパイプ本体を有しており、このパイプ本体には、パイプ本体の長手方向に沿って、等間隔に、噴射部が形成されている。
【００２５】
そして、噴射部は、前記パイプ本体に、パイプ本体の周方向に沿って間隔を置いて形成された複数の噴射孔を有している。
【００２６】
また、噴射部は、筒状としたゴム製の逆止弁を有しており、この逆止弁は、前記噴射孔を閉鎖する配置で、前記パイプ本体の外周に周設されており、周方向に沿って、噴射用スリットが形成されている。
【００２７】
更に、逆止弁において、前記パイプ本体の長手方向に向いた両端部分の外周には、圧着リングが周設されており、この圧着リングによって、前記逆止弁は、パイプ本体に固定されている。
【００２８】
そして、圧着リングは、前記逆止弁の両端部分の外周に当接した圧着部を有しており、この圧着部によって、逆止弁をパイプ本体に圧着している。
【００２９】
また、圧着部にはカバー部が連設されており、このカバー部は、基端部が前記圧着部に連設されており、パイプ本体側に湾曲しながら、前記逆止弁の幅方向に見た外側に延出して、その先端は、前記パイプ本体に当接している。そしてこれにより、カバー部によって、逆止弁のエッジ部分を湾曲状にカバーしている。
【実施例１】
【００３０】
本考案の地盤改良剤注入用スリーブパイプ（以下単に「スリーブパイプ」と称する。）の実施例について図面を参照して説明すると、図１は、本実施例のスリーブパイプの平面図であり、図において１が、本実施例のスリーブパイプである。
【００３１】
そして、本実施例のスリーブパイプ１は、従来のスリーブパイプと同様に、長尺のパイプ本体を有している。即ち、図において２がパイプ本体であり、本実施例においてこのパイプ本体２は、硬質塩化ビニール製としており、約１メートル前後の長さとし、使用に際しては、ジョイント等を用いて継ぎ足されて適宜の長さにされる。また、ボーリング孔に挿入される際には、先端部分に、図示しないパイプキャップが取り付けられる。
【００３２】
次に、図において３は噴射部である。即ち、本実施例におけるスリーブパイプ１は、従来のスリーブパイプと同様に、パイプ本体２の長手方向に沿って、等間隔で、噴射部３を備えており、この噴射部３を介して、ボーリング孔の内部に地盤改良剤等を注入することとしている。
【００３３】
ここで、前記噴射部３の構造について詳細に説明すると、図２は、前記噴射部３の近傍を拡大して示した図であり、また図３は、図２におけるＡ−Ａ線断面構造を示した断面図であり、図において２が、パイプ本体２の部分を示している。
【００３４】
なお、図１にも示されるように、本実施例のスリーブパイプ１では、パイプ本体２の３ヶ所に噴射部を備えているが、いずれの噴射部３も構造を同様であるので、１箇所のみについて説明する。
【００３５】
即ち、前記噴射部３は、前記パイプ本体２に、パイプ本体２の周方向に沿って間隔を置いて形成された噴射孔４を有しており、この噴射孔４はそれぞれ貫通孔とされており、パイプ本体２の内部と外部とを連通している。
【００３６】
そして、本実施例において、前記噴射孔４は、パイプ本体２の周方向に約９０度ごとに形成され、合計で４箇所に形成されている。
【００３７】
また、本実施例において前記噴射孔４は、パイプ本体２の周方向に向いて２列に亘り形成されているとともに、パイプ本体２の長手方向に見た場合に、互いの列の噴射孔４が同一線状に位置しないように、位相をずらしている。
【００３８】
次に、図において５は逆止弁である。即ち、本実施例においては、前記噴射孔４を閉鎖する配置で、前記パイプ本体２の外周には、逆止弁としてのゴム製の筒状のカバー５が周設されており、このカバー５を逆止弁としている。
【００３９】
即ち、前記逆止弁カバー５における、パイプ本体２における長手方向に見た両端部分には圧着リング６が周設されており、一方、逆止弁カバー５は、パイプ本体２の長手方向に見た中央部分に、周方向全域に亘ってスリット５０１が形成されている。そのため、これによって、前記逆止弁５は、噴射孔４を介してパイプ本体２の内側から圧力が加わった場合にはスリット５０１の部分が外周側に押し開かれ、一方、パイプ本体２の外側から圧力が加わった場合でもスリット５０１の部分は閉じたままであり、従って、逆止弁として作用する。
【００４０】
次に、前記圧着リング６について説明すると、本実施例において前記圧着リング６は、金属製、具体的にはＳＳ４００製としており、全体として筒状としている。
【００４１】
そして、この圧着リング６は、パイプ本体２の長手方向に向いた場合の前記逆止弁５の両端部分の外周に当接し、それによって前記逆止弁５をパイプ本体２側に押圧して固定する圧着部６０１を有するとともに、この圧着部６０１には、逆止弁５のエッジ部分をカバーするカバー部が連設されている。
【００４２】
即ち、図において６０２がカバー部であり、このカバー部６０２は、前記圧着部６０１における、前記逆止弁５の幅方向の外側に向いた側面に基端部が連設されている。
【００４３】
そして、前記カバー部６０２は、パイプ本体側に湾曲しながら前記逆止弁５の幅方向の外側に延出しており、その先端部は、前記パイプ本体２の外周面に当接しており、これにより、前記カバー部６０２は、前記逆止弁５のエッジ部分を、湾曲しながら、即ち球面状にカバーしている。
【００４４】
そのため、本実施例のスリーブパイプ１では、噴射部が段差状にパイプ本体の外周から突出している従来のスリーブパイプと異なり、ボーリング孔の内壁に凸部分等がある場合でも、スムーズにボーリング孔内に挿入することが可能である。
【００４５】
このように構成される本実施例のスリーブパイプ１の作用について説明すると、本実施例のスリーブパイプ１では、逆止弁５をパイプ本体に固定するための圧着リング６を、前記逆止弁５の両端部分の外周に当接して逆止弁５をパイプ本体２側に押圧して固定する圧着部６０１と、この圧着部６０１に連接して逆止弁５のエッジ部分をカバーするカバー部６０２とで構成するとともに、カバー部６０２は、基端部を圧着部に連設されるとともに、パイプ本体側に湾曲しながら逆止弁５の幅方向の外側に延出して先端部をパイプ本体２の外周面に当接させ、これにより、前記カバー部６０２によって、逆止弁５のエッジ部分を湾曲状にカバーしている。
【００４６】
そのために、スリーブ注入工法において、このスリーブパイプ１をボーリング孔内に挿入するに際して、ボーリング孔等の内壁に凸部分が存在する場合でも、この凸部分に噴射部が引っ掛かることなく、スリーブパイプをスムーズに挿入することが可能である。
【００４７】
このように、本実施例のスリーブパイプ１では、ボーリング孔の内壁に凸部分等がある場合でも、スムーズにボーリング孔内に挿入することが可能である。
【産業上の利用可能性】
【００４８】
本考案のスリーブパイプは、噴射部のエッジ部分を、圧着リングのカバー部によって湾曲状にカバーし、これによってスリーブパイプのボーリング孔への挿入をスムーズに行うことを可能にしているために、軟弱地盤等にセメントミルク等の地盤改良剤を注入するために用いられるスリーブパイプの全般に適用可能である。
【符号の説明】
【００４９】
１    スリーブパイプ
２    パイプ本体
３    噴射部
４    噴射孔
５    逆止弁
５０１    スリット
６    圧着リング
６０１    圧着部
６０２    カバー部
【図１】
0003160384.tif 000003
【図２】
0003160384.tif 000004
【図３】
0003160384.tif 000005
【図４】
0003160384.tif 000006
【図５】
0003160384.tif 000007
【図６】
0003160384.tif 000008
【手続補正書】
【提出日】平成22年4月12日(2010.4.12)
【手続補正１】
【補正対象書類名】実用新案登録請求の範囲
【補正対象項目名】請求項１
【補正方法】変更
【補正の内容】
【請求項１】
筒状のパイプ本体（２）と、
該パイプ本体（２）の長手方向に沿って等間隔に形成された噴射部（３）と、を具備し、
前記噴射部（３）は、
前記パイプ本体（２）に、パイプ本体（２）の周方向に沿って間隔を置いて形成された複数の噴射孔（４）と、
該噴射孔（４）を閉鎖する配置で前記パイプ本体（２）の外周に周設された、噴射用スリット（５０１）が形成された逆止弁（５）と、
該逆止弁（５）における前記パイプ本体（２）の長手方向に向いた両端部分の外周に周設された圧着リング（６）と、を備えた地盤改良剤注入用スリーブパイプ（１）であって、
前記圧着リング（６）は、
前記逆止弁（５）の両端部分外周に当接した圧着部（６０１）と、
基端部が前記圧着部（６０１）に連設されるとともに、パイプ本体（２）側に湾曲しながら前記逆止弁（５）の幅方向の外側に延出して先端部が前記パイプ本体（２）に当接して逆止弁（５）のエッジ部分をカバーするカバー部（６０２）と、を具備したことを特徴とする地盤改良剤注入用スリーブパイプ。